Podtech/llm-jp-corpus-v4-ja_patent huggingface dataset:
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
正立姿勢または倒立姿勢に設置が可能な設置型撮像装置を有する撮像システムであって、
被写体の撮像を行う撮像手段と、前記撮像装置の設置された姿勢を入力する姿勢入力手段と、前記姿勢入力手段の入力に応じて、前記撮像手段により取得された撮像画像を回転して出力する回転手段と、前記撮像信号を用いて自動焦点調節を行う為の自動焦点調節手段と、前記撮像画像の自動焦点調節を行う為の信号を取得する範囲の撮像信号を選択する選択手段と、を有し、
前記姿勢入力手段の入力に応じて前記範囲を変更する範囲設定手段を有することを特徴とする撮像システム。
【請求項２】
正立姿勢または倒立姿勢に設置が可能な設置型撮像装置を有する撮像システムであって、
被写体の撮像を行う撮像手段と、前記撮像装置の設置された姿勢を入力する姿勢入力手段と、前記姿勢入力手段の入力に応じて、前記撮像手段により取得された撮像画像を回転して出力する回転手段と、前記撮像信号を用いて自動焦点調節を行う為の自動焦点調節手段と、前記撮像画像の自動露出を行う為の信号を取得する範囲の撮像信号を選択する選択手段と、を有し、
前記姿勢入力手段の入力に応じて前記範囲を変更する範囲設定手段を有することを特徴とする撮像システム。
【請求項３】
正立姿勢または倒立姿勢に設置が可能な設置型撮像装置を有する撮像システムであって、
被写体の撮像を行う撮像手段と、前記撮像装置の設置された姿勢を入力する姿勢入力手段と、前記姿勢入力手段の入力に応じて、前記撮像手段により取得された撮像画像を回転して出力する回転手段と、前記撮像信号を用いて自動的に白バランスを調節する自動白バランス手段と、前記撮像画像の自動白バランスを行う為の信号を取得する範囲の撮像信号を選択する選択手段と、を有し、
前記姿勢入力手段の入力に応じて前記範囲を変更する範囲設定手段を有することを特徴とする撮像システム。
【手続補正書】
【提出日】平成22年2月8日(2010.2.8)
【手続補正１】
【補正対象書類名】特許請求の範囲
【補正対象項目名】請求項１４
【補正方法】変更
【補正の内容】
【請求項１４】
１以上の録画装置とローカルエリアネットワークを通じて接続されるとともに、端末装置と、前記端末装置がネットワークを介して前記録画装置にリモート録画予約を行うためのサービスを提供するサービスサーバとともに前記ネットワークに接続可能とされ、前記サービスサーバからのリモート録画予約依頼を受けて前記１以上の録画装置に対して前記ローカルエリアネットワークを介して選択的にリモート録画予約を行うコントローラ用のコンピュータプログラムであって、
前記端末装置からリモート録画予約要求を受信したことを契機に前記サービスサーバより送信された、前記１以上の録画装置それぞれの前記リソース状況の情報の取得を要求するリソース状況取得依頼を受信したとき、前記ローカルエリアネットワークを通じて、前記１以上の録画装置のそれぞれにリソース状況取得命令を送信し、前記１以上の録画装置のそれぞれから前記リソース状況に応じたリモート録画予約の可否を判定した結果を前記リソース状況の情報として受信するリソース状況取得部としてコンピュータを動作させることを特徴とするコントローラ用のコンピュータプログラム。
【手続補正２】
【補正対象書類名】明細書
【補正対象項目名】００８４
【補正方法】変更
【補正の内容】
【００８４】
ネットワーク接続部２０８は、ネットワーク１との接続を処理する。デコード部２０９は、ネットワーク１を介してコンテンツ配信サーバ６００（図８参照）より取得したコンテンツデータ、及び記憶部２１３から読み出されたコンテンツのエンコードデータをデコードして、ビデオデータおよびオーディオデータを復元する。復元されたデジタルビデオデータはシステムバス２０２を通じてＡＶインターフェース部２０６に供給され、ＡＶインターフェース部２０６に接続されたテレビジョンなどの外部ＡＶ機器４に出力される。
【手続補正３】
【補正対象書類名】明細書
【補正対象項目名】０１３１
【補正方法】変更
【補正の内容】
【０１３１】
リモート録画予約処理部８１３ａは、サービスサーバ３００ａからのリソース状況取得依頼Ｒ６を受信したとき、リソース状況取得部８１２に対して、リソース状況取得依頼Ｒ６から抽出した録画予約番組情報Ｄ３及び録画モード情報を含むリソース状況取得要求の送信命令Ｒ６１を出力する。リソース状況取得部８１２は、このリソース状況取得要求の送信命令Ｒ６１を受けると、コントローラ８００ａとＬＡＮ８を通じて接続された各録画装置２００（２００−１，２００−２）に対して、録画予約番組情報Ｄ３及び録画モード情報を含むリソース状況取得要求Ｒ１８をＬＡＮ８を通じて送信する。コントローラ８００ａ内のリソース状況取得部８１２は、ＬＡＮ８を通じて接続された各録画装置２００（２００−１，２００−２）よりリソース状況取得応答Ｒ１９をそれぞれ受信すると、それぞれのリソース状況取得応答Ｒ１９からリソース状況の情報Ｄ７を抽出し、これらをまとめて各録画装置２００（２００−１，２００−２）のリソース状況の一覧Ｄ１０を作成し、このリソース状況の一覧Ｄ１０を、リソース状況取得要求の送信命令Ｒ６１に含まれる録画予約番組情報Ｄ３及び録画モード情報とともにリソース状況解析部８１５に通知する。
【手続補正４】
【補正対象書類名】明細書
【補正対象項目名】０１３４
【補正方法】変更
【補正の内容】
【０１３４】
リモート録画予約処理部８１３ａは、また、録画装置２００でのリモート録画予約完了後に録画装置２００よりＬＡＮ８を通じて送信されてくるリモート録画予約結果通知Ｒ２２を受信し、リモート録画予約結果通知Ｒ１２をサービスサーバ３００ａにネットワーク１を介して送信する。
【手続補正５】
【補正対象書類名】明細書
【補正対象項目名】０１４２
【補正方法】変更
【補正の内容】
【０１４２】
図１５において、サービスサーバ３００ａ内のリモート録画予約処理部３２２は、ダイレクトアクセス管理サーバ４００よりダイレクトアクセス開始応答Ｒ１０を受信すると、このダイレクトアクセス開始応答Ｒ１０に含まれるダイレクトアクセス用ＵＲＩに基づいてコントローラ８００ａにアクセスして、録画予約番組情報Ｄ３、録画モード情報を含むリソース状況取得依頼Ｒ６を送信する（図１７（Ｓ２６））。
【手続補正６】
【補正対象書類名】明細書
【補正対象項目名】０１４３
【補正方法】変更
【補正の内容】
【０１４３】
図１６において、コントローラ８００ａ内のリモート録画予約処理部８１３ａは、サービスサーバ３００ａからリソース状況取得依頼Ｒ６を受信すると、このリソース状況取得依頼Ｒ６から抽出した録画予約番組情報Ｄ３及び録画モード情報を含むリソース状況取得要求の送信命令Ｒ６１をリソース状況取得部８１２に出力する。リソース状況取得部８１２は、このリソース状況取得要求の送信命令Ｒ６１を受けると、コントローラ８００ａとＬＡＮ８を通じて接続された各録画装置２００（２００−１，２００−２）に対して、録画予約番組情報Ｄ３及び録画モード情報を含むリソース状況取得要求Ｒ１８をＬＡＮ８を通じて送信する（図１７（Ｓ２７））。
【手続補正７】
【補正対象書類名】明細書
【補正対象項目名】０１４９
【補正方法】変更
【補正の内容】
【０１４９】
図１６において、コントローラ８００ａ内のリモート録画予約処理部８１３ａは、録画装置２００−２からＬＡＮ８を通じて送信されてくるリモート録画予約結果通知Ｒ２２を受信し、リモート録画予約結果通知Ｒ１２をサービスサーバ３００ａにネットワーク１を介して送信する（図１７（Ｓ３３））。
【手続補正８】
【補正対象書類名】図面
【補正対象項目名】図１７
【補正方法】変更
【補正の内容】
【図１７】
2008205789.tif 000001
【手続補正書】
【提出日】平成22年7月12日(2010.7.12)
【手続補正１】
【補正対象書類名】特許請求の範囲
【補正対象項目名】全文
【補正方法】変更
【補正の内容】
【特許請求の範囲】
【請求項１】
ｐ型半導体基板に形成された撮像領域の裏面側から入射する被写界光を受光して受光量に応じた信号を蓄積し該ｐ型半導体基板の表面側に設けた信号読出素子により前記信号を読み出す裏面照射型固体撮像素子において、前記撮像領域の周辺部の前記表面側に、正電圧がバイアスされるｎウェルが設けられ、前記ｎウェルの表面部に形成され前記正電圧がバイアスされるｎ型高濃度拡散層が前記ｐ型半導体基板の周囲端面に沿って設けられることを特徴とする裏面照射型固体撮像素子。
【請求項２】
暗電流発生源となる外部接続用パッド穴を、前記ｎウェルが設けられる領域の周囲に設けたことを特徴とする請求項１に記載の裏面照射型固体撮像素子。
【請求項３】
前記ｎウェルは前記周辺部の全周に渡って連続して設けられることを特徴とする請求項１または請求項２に記載の裏面照射型固体撮像素子。
【請求項４】
前記ｎウェルの表面部にｐチャネルトランジスタ素子が形成されることを特徴とする請求項１乃至請求項３のいずれかに記載の裏面照射型固体撮像素子。
【請求項５】
前記ｎウェルの表面部にｐウェルが形成され、該ｐウェルに負電圧がバイアスされることを特徴とする請求項１乃至請求項４のいずれかに記載の裏面照射型固体撮像素子。
【請求項６】
前記撮像領域に形成される電荷蓄積領域と同一プロセスで前記ｎウェルの表面部分が埋め込みｎウェルとして製造されることを特徴とする請求項１乃至請求項５のいずれかに記載の裏面照射型固体撮像素子。
【請求項７】
前記ｐ型半導体基板の裏面全面に設けた高濃度ｐ型層と、前記撮像領域を囲む領域の前記表面側に形成されたｐウェルと、該ｐウェルの表面に接続された接地端子であって該接地端子―該ｐウェル―前記ｐ型半導体基板を通じて前記高濃度ｐ型層を接地する接地端子とを備えることを特徴とする請求項１乃至請求項６のいずれかに記載の裏面照射型固体撮像素子。
【請求項８】
前記正電圧がバイアスされる前記ｎウェルの内側の前記撮像領域を囲む領域のほぼ全周に渡って前記ｐウェルが形成されることを特徴とする請求項７に記載の裏面照射型固体撮像素子。
【請求項９】
前記ｐ型半導体基板のｐ型不純物濃度が濃度勾配を有することを特徴とする請求項７または請求項８に記載の裏面照射型固体撮像素子。
【請求項１０】
裏面に高濃度ｐ型層を有するｐ型半導体基板に形成された撮像領域の裏面側から入射する被写界光を受光して受光量に応じた信号を蓄積し該ｐ型半導体基板の表面側に設けた信号読出素子により前記信号を読み出す裏面照射型固体撮像素子において、前記ｐ型半導体基板の表面側の前記撮像領域を囲む領域に形成されたｐウェルと、該ｐウェル表面に接続された接地端子であって該接地端子―該ｐウェル―前記ｐ型半導体基板を通して前記高濃度ｐ型層を接地する接地端子とを備えることを特徴とする裏面照射型固体撮像素子。
【請求項１１】
前記ｐウェルが、前記撮像領域を囲む領域のほぼ全周に渡って連続して設けられることを特徴とする請求項１０に記載の裏面照射型固体撮像素子。
【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
複数の受信アンテナと、
前記受信アンテナが受信したデータ系列の復号を行い、第１の復号信号を出力する第１の復号部と、
既知の並び替え規則に従って、前記データ系列から生成したチャネル推定情報の書き込みまたは読み出しの順番を変換する第１の変換部と、
前記変換した順番に前記チャネル推定情報を書き込みまたは読み出す第１の記憶部と、
前記既知の並び替え規則に従って、前記データ系列の書き込みまたは読み出しの順番を変換する第２の変換部と、
前記変換した順番に前記データ系列を書き込みまたは読み出す第２の記憶部と、
前記チャネル推定情報に基づき、前記第１の復号信号を再変調して再変調データを生成する再変調部と、
前記第１の記憶部の前記チャネル推定情報と前記第２の記憶部の前記データ系列とを前記変換した順番に取り出し、前記チャネル推定情報、前記第１の復号信号および前記再変調データを用いて、前記データ系列の干渉信号をキャンセルしたストリーム信号を生成するキャンセル部と、
前記ストリーム信号に基づき、復号を行い第２の復号信号を出力する第２の復号部と、
を含む受信装置。
【請求項２】
前記既知の並び替え規則は、書き込みの場合、前記記憶部に対して前記データ系列を縦方向に書き込ませ、読み出しの場合、前記記憶部に対して前記データ系列を横方向に読み出させるように定められている、
請求項１に記載の受信装置。
【請求項３】
前記第１の復号信号のビットインタリーブ処理を行うビットインタリーブ部と、
前記ストリーム信号のビットデインタリーブ処理を行うビットデインタリーブ部と、をさらに含み、
前記ビットインタリーブ部および前記ビットデインタリーブ部は、タイミング制御信号が入力され、前記ビットインタリーブ部は、インタリーブ処理単位のデータ入力完了前に、データを読み出す、
請求項１に記載の受信装置。
【請求項４】
前記ビットインタリーブ部は、前記第１の復号信号のシンボルの一部を蓄積し、インタリーブ処理を行うための既知のインタリーブ規則に従って、前記第１の復号信号のビットインタリーブ処理を行い、
前記ビットデインタリーブ部は、前記データ系列のシンボルの一部を蓄積し、デインタリーブ処理を行うための既知のデインタリーブ規則に従って、前記ストリーム信号のビットデインタリーブ処理を行う、
請求項３に記載の受信装置。
【請求項５】
前記既知の並び替え規則は、種類の異なる前記データ系列ごとに分類されている、
請求項４に記載の受信装置。
【請求項６】
前記ストリーム信号を蓄積して並び替え処理を行うための既知の反復復号デインタリーブ規則に従って、前記ストリーム信号の並び替え処理を行う反復復号デインタリーブ部をさらに含み、
前記反復復号デインタリーブ部は、タイミング制御信号に従いデータを読み出す、
請求項４に記載の受信装置。
【請求項７】
前記第１の変換部と前記第２の変換部とには、タイミング信号が入力され、
前記第１の記憶部と前記第２の記憶部とは、前記タイミング信号に基づいて、書き込み及び読み出しを行う、
請求項１に記載の受信装置。
【請求項８】
データ系列を受信するステップと、
前記データ系列の復号行い、第１の復号信号を出力するステップと、
既知の並び替え規則に従って、前記データ系列から生成したチャネル推定情報の書き込みまたは読み出しの順番を変換するステップと、
前記変換した順番に前記チャネル推定情報を第１の記憶部に書き込みまたは読み出すステップと、
前記既知の並び替え規則に従って、前記データ系列の書き込みまたは読み出しの順番を変換するステップと、
前記変換した順番に前記データ系列を第２の記憶部に書き込みまたは読み出すステップと、
前記チャネル推定情報に基づき、前記第１の復号信号を再変調して再変調データを生成するステップと、
前記第１の記憶部の前記チャネル推定情報と前記第２の記憶部の前記データ系列とを前記変換した順番に取り出し、前記チャネル推定情報、前記第１の復号信号および前記再変調データを用いて、前記データ系列の干渉信号をキャンセルしたストリーム信号を生成するステップと、
前記ストリーム信号に基づき、復号を行い第２の復号信号を出力するステップと、
を含む受信方法。
【手続補正２】
【補正対象書類名】明細書
【補正対象項目名】０００９
【補正方法】変更
【補正の内容】
【０００９】
前記課題を解決するため、本発明の態様の一つに係る受信装置は、データ系列を受信する複数の受信アンテナと、あらかじめ定められた並び替え規則に従って、前記チャネル推定情報の書き込みまたは読み出しの順番を変換する第１の変換部と、前記変換した順番に前記チャネル推定情報を書き込みまたは読み出す第１の記憶部と、前記並び替え規則に従って、前記データ系列の書き込みまたは読み出しの順番を変換する第２の変換部と、前記変換した順番に前記データ系列を書き込みまたは読み出す第２の記憶部と、前記チャネル推定情報に基づき、前記データ系列を再変調して再変調データを生成する再変調部と、前記第１の記憶部の前記チャネル推定情報と前記第２の記憶部の前記データ系列とを前記順番に取り出し、前記チャネル推定情報、前記データ系列および前記再変調データを用いて、前記データ系列の干渉信号をキャンセルしたストリーム信号を生成するキャンセル部と、前記ストリーム信号に基づき、誤り訂正復号を行う誤り訂正復号部と、を含む。
【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
表示装置と、
少なくとも可視光の波長領域を中心とする光に感度を有し、前記表示装置の表示画面に正対するユーザの可視光像を撮像する第１の撮像装置と、
前記表示装置の前記表示画面の前に、前記表示画面に対して予め定められた角度を持つように配置され、赤外光の波長領域を中心とする光を反射する反射板と、
前記反射板で反射された前記赤外光の波長領域を中心とする光に感度を有し、前記反射板で反射された前記ユーザの赤外光像を撮像する第２の撮像装置と、
前記第１の撮像装置が出力する映像信号の色映像信号と、前記第２の撮像装置が出力する映像信号の輝度映像信号を合成し、合成映像信号を生成する合成手段と、を備えることを特徴とする映像装置。
【請求項２】
前記反射板の前記予め定められた角度は、前記ユーザの視線が前記第２の撮像装置の撮影する方向と同じとなるように定められることを特徴とする請求項１に記載の映像装置。
【請求項３】
前記予め定められた角度は、３０度より小さいことを特徴とする請求項１または２に記載の映像装置。
【請求項４】
前記第１の撮像装置は、前記表示装置に近接した位置に前記表示画面に対して傾斜して取り付けられ、
前記第１の撮像装置が出力する前記映像信号の前記色映像信号に対して、前記第１の撮像装置の傾斜に基づく歪みを補正する画像変換手段を更に備え、
前記合成手段は、前記画像変換手段で補正された前記色映像信号と、前記第２の撮像装置が出力する前記映像信号の前記輝度映像信号と、を合成して前記合成映像信号を得ることを特徴とする請求項１に記載の映像装置。
【請求項５】
前記表示装置の前記表示画面を覆うための保護カバーを更に有し、
前記第１の撮像装置及び前記第２の撮像装置は、前記保護カバーに取り付けられていることを特徴とする請求項１乃至４のいずれか１項に記載の映像装置。
【請求項６】
前記保護カバーは、前記映像装置を使用しない場合には、前記表示装置の前記表示画面を覆うようにたたまれることを特徴とする請求項５に記載の映像装置。
【請求項７】
請求項１乃至６のいずれか１項に記載の映像装置を備えると共に、さらにコンピュータを備え、
前記コンピュータの通信機能を利用して双方向の画像通信を可能とすることを特徴とする画像通信装置。
【手続補正２】
【補正対象書類名】明細書
【補正対象項目名】０００６
【補正方法】変更
【補正の内容】
【０００６】
また、上記の特許文献２に示されるように、画面の前面にホログラム反射板を用いて光を斜め上方に反射させ、それを撮像する方法も提案されている。しかし、この方法は視線は捕らえることができるが画質（像のゆがみや色の純度）が劣化する。さらに、該ホログラム板を通過してユーザの視野に入ってくる外光（照明光等の）が虹色に光ってしまい、画像を見難くしてしまうという欠点があった。
【手続補正３】
【補正対象書類名】明細書
【補正対象項目名】０００９
【補正方法】変更
【補正の内容】
【０００９】
上記の目的を達成するため、本発明の実施形態に係る映像装置は、
表示装置と、
少なくとも可視光の波長領域を中心とする光に感度を有し、前記表示装置の表示画面に正対するユーザの可視光像を撮像する第１の撮像装置と、
前記表示装置の前記表示画面の前に、前記表示画面に対して予め定められた角度を持つように配置され、赤外光の波長領域を中心とする光を反射する反射板と、
前記反射板で反射された前記赤外光の波長領域を中心とする光に感度を有し、前記反射板で反射された前記ユーザの赤外光像を撮像する第２の撮像装置と、
前記第１の撮像装置が出力する映像信号の色映像信号と、前記第２の撮像装置が出力する映像信号の輝度映像信号を合成し、合成映像信号を生成する合成手段と、を備えることを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
また、本発明のさらに他の実施形態における画像通信装置は、
本発明の実施形態に係る映像装置を備えるとともに、さらにコンピュータを備え、
前記コンピュータの通信機能を利用して双方向の画像通信を可能とすることを特徴とする。
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
画像形成装置であって、
前記画像形成装置と接続された各機器から、当該各機器と連携する対象として登録されているリモート機器の情報を取得する取得手段と、
前記取得手段で取得した前記情報に基づいて、前記各機器がリモート機器として登録されている各機器ごとの登録数を計算する計算手段と、
前記計算手段によって計算された前記各機器ごとの登録数に基づいて、前記画像形成装置と連携するリモート機器を決定する決定手段と、
を有することを特徴とする画像形成装置。
【請求項２】
前記決定手段は、前記計算手段で計算した前記各機器ごとの登録数が閾値以下の機器を、前記リモート機器として決定することを特徴とする請求項１に記載の画像形成装置。
【請求項３】
前記決定手段によって決定された前記リモート機器を示す情報を表示する表示手段を更に有し、前記決定手段は、前記表示手段によって表示された前記情報の中からユーザによって選択された機器を、前記画像形成装置と連携する前記リモート機器として決定することを特徴とする請求項１又は２に記載の画像形成装置。
【請求項４】
前記表示手段によって表示される前記機器を示す情報は、前記計算手段によって計算された前記各機器ごとの登録数の情報を含むことを特徴とする請求項３に記載の画像形成装置。
【請求項５】
前記画像形成装置は、前記画像形成装置が備えるスキャナ部によって生成された画像データを、前記決定手段によって決定された前記リモート機器に送信して印刷処理を実行させることにより、当該リモート機器と連携してコピー処理を実行することを特徴とする請求項１乃至４の何れか１項に記載の画像形成装置。
【請求項６】
ネットワークを介して接続される機器との連携処理が可能な画像形成装置の制御方法であって、
前記画像形成装置と接続された各機器から、当該各機器と連携する対象として登録されているリモート機器の情報を取得する取得工程と、
前記取得工程で取得した前記情報に基づいて、前記各機器がリモート機器として登録されている各機器ごとの登録数を計算する計算工程と、
前記計算工程で計算された前記各機器ごとの登録数に基づいて、前記画像形成装置と連携するリモート機器を決定する決定工程と、
を有することを特徴とする画像形成装置の制御方法。
【請求項７】
前記決定工程は、前記計算工程で計算した前記各機器ごとの登録数が閾値以下の機器を、前記リモート機器として決定することを特徴とする請求項６に記載の画像形成装置の制御方法。
【請求項８】
前記決定工程で決定された前記リモート機器を示す情報を表示する表示工程を更に有し、前記決定工程は、前記表示工程で表示された前記情報の中からユーザによって選択された機器を、前記画像形成装置と連携する前記リモート機器として決定することを特徴とする請求項６又は７に記載の画像形成装置の制御方法。
【請求項９】
前記表示工程で表示される前記機器を示す情報は、前記計算工程で計算された前記各機器ごとの登録数の情報を含むことを特徴とする請求項８に記載の画像形成装置の制御方法。
【請求項１０】
前記画像形成装置は、前記画像形成装置が備えるスキャナ部によって生成された画像データを、前記決定工程で決定された前記リモート機器に送信して印刷処理を実行させることにより、当該リモート機器と連携してコピー処理を実行することを特徴とする請求項６乃至９の何れか１項に記載の画像形成装置の制御方法。
【手続補正２】
【補正対象書類名】明細書
【補正対象項目名】０００５
【補正方法】変更
【補正の内容】
【０００５】
本発明の目的は、このような問題を解決し、リモート機器との連携による、例えばリモートコピーや重連コピー等の処理効率が低下するのを防ぐことができる画像形成装置及びその制御方法を提供することである。
【手続補正３】
【補正対象書類名】明細書
【補正対象項目名】０００６
【補正方法】変更
【補正の内容】
【０００６】
上記目的を達成するために本発明の一態様に係る画像形成装置は以下のような構成を備える。即ち、
画像形成装置であって、
前記画像形成装置と接続された各機器から、当該各機器と連携する対象として登録されているリモート機器の情報を取得する取得手段と、
前記取得手段で取得した前記情報に基づいて、前記各機器がリモート機器として登録されている各機器ごとの登録数を計算する計算手段と、
前記計算手段によって計算された前記各機器ごとの登録数に基づいて、前記画像形成装置と連携するリモート機器を決定する決定手段と、を有することを特徴とする。
【手続補正４】
【補正対象書類名】明細書
【補正対象項目名】０００７
【補正方法】変更
【補正の内容】
【０００７】
上記目的を達成するために本発明の一態様に係る画像形成装置の制御方法は以下のような工程を備える。即ち、
ネットワークを介して接続される機器との連携処理が可能な画像形成装置の制御方法であって、
前記画像形成装置と接続された各機器から、当該各機器と連携する対象として登録されているリモート機器の情報を取得する取得工程と、
前記取得工程で取得した前記情報に基づいて、前記各機器がリモート機器として登録されている各機器ごとの登録数を計算する計算工程と、
前記計算工程で計算された前記各機器ごとの登録数に基づいて、前記画像形成装置と連携するリモート機器を決定する決定工程と、を有することを特徴とする。
【手続補正５】
【補正対象書類名】明細書
【補正対象項目名】０００８
【補正方法】変更
【補正の内容】
【０００８】
本発明によれば、リモート機器との連携による、例えばリモートコピーや重連コピー等の処理効率が低下するのを防ぐことができる。
【手続補正書】
【提出日】平成22年2月17日(2010.2.17)
【手続補正１】
【補正対象書類名】特許請求の範囲
【補正対象項目名】全文
【補正方法】変更
【補正の内容】
【特許請求の範囲】
【請求項１】
被写体を撮像し、画像を生成する撮像手段と、
前記画像から複数の顔を検出する被写体検出手段と、
前記複数の顔が予め定められた表情であるか否かを判別し、前記複数の顔が前記予め定められた表情であると判別されると前記撮像手段に撮像を行うよう指示を出力する表情検出手段と、
前記指示に応答して前記撮像手段で生成された画像を記録媒体に記録する記録手段とを有し、
前記表情検出手段は、前記複数の顔の数が多いほど、前記予め定められた表情を満たすための条件を緩和することを特徴とする撮像装置。
【請求項２】
被写体を撮像し、画像を生成する撮像手段と、
前記画像から顔を検出する被写体検出手段と、
前記顔が予め定められた表情であるか否かを判別し、前記顔が前記予め定められた表情であると判別されると前記撮像手段に撮像を行うよう指示を出力する表情検出手段と、
前記指示に応答して前記撮像手段で生成された画像を記録媒体に記録する記録手段とを有し、
前記表情検出手段は、前記顔の向きを検出し、前記向きが正面でない顔については、前記向きが正面である顔よりも、前記予め定められた表情であると判別するための条件を緩和することを特徴とする撮像装置。
【請求項３】
前記被写体検出手段は複数の顔を検出し、
前記表情検出手段は、前記複数の顔の各々について前記顔の向きを検出するとともに、前記複数の顔が前記予め定められた表情であると判別されると前記撮像手段に撮像を行うように指示を出力することを特徴とする請求項２に記載の撮像装置。
【請求項４】
前記撮像手段は、前記表情検出手段から出力された指示を受けると、前記被写体検出手段が検出した前記複数の顔の数が予め定められた数より多い場合には、複数回連続して撮像を行い、複数の画像を生成するとともに、
前記表情検出手段は、前記複数回連続した撮像により生成された複数の画像の各々に対して前記被写体検出手段が検出した顔が前記予め定められた表情であるか否かを判別して前記複数の画像の中から記録用の画像を選択し、
前記記録手段は、前記表情検出手段によって選択された画像を前記記録媒体に記録することを特徴とする請求項１または３に記載の撮像装置。
【請求項５】
前記表情検出手段は、前記複数の画像のうち、前記予め定められた表情であると判別された顔を最も多く含む画像を前記記録用の画像として選択することを特徴とする請求項４に記載の撮像装置。
【請求項６】
前記予め定められた表情が、目開き、および、笑顔の少なくとも一方であることを特徴とする請求項１乃至５のいずれか１項に記載の撮像装置。
【請求項７】
被写体を撮像し、画像を生成する撮像手段を有する撮像装置の制御方法であって、
前記画像から複数の顔を検出する被写体検出工程と、
前記複数の顔が予め定められた表情であるか否かを判別する表情検出工程と、
前記複数の顔が前記予め定められた表情であると判別されると前記撮像手段に撮像を行うよう指示を出力する表情検出工程と、
前記指示に応答して前記撮像手段で生成された画像を記録媒体に記録する記録工程とを有し、
前記表情検出工程は、前記複数の顔の数が多いほど、前記予め定められた表情を満たすための条件を緩和することを特徴とする撮像装置の制御方法。
【請求項８】
被写体を撮像し、画像を生成する撮像手段を有する撮像装置の制御方法であって、
前記画像から顔を検出する被写体検出工程と、
前記顔が予め定められた表情であるか否かを判別し、前記顔が前記予め定められた表情であると判別されると前記撮像手段に撮像を行うように指示を出力する表情検出工程と、
前記指示に応答して前記撮像手段で生成された画像を記録媒体に記録する記録工程とを有し、
前記表情検出工程は、前記顔の向きを検出し、前記向きが正面でない顔については、前記向きが正面である顔よりも、前記予め定められた表情であると判別するための条件を緩和することを特徴とする撮像装置の制御方法。
【手続補正２】
【補正対象書類名】明細書
【補正対象項目名】０００７
【補正方法】変更
【補正の内容】
【０００７】
上述の目的は、被写体を撮像し、画像を生成する撮像手段と、画像から複数の顔を検出する被写体検出手段と、複数の顔が予め定められた表情であるか否かを判別し、複数の顔が予め定められた表情であると判別されると撮像手段に撮像を行うよう指示を出力する表情検出手段と、指示に応答して撮像手段で生成された画像を記録媒体に記録する記録手段とを有し、表情検出手段は、複数の顔の数が多いほど、予め定められた表情を満たすための条件を緩和することを特徴とする撮像装置によって達成される。
また、上述の目的は、被写体を撮像し、画像を生成する撮像手段と、画像から顔を検出する被写体検出手段と、顔が予め定められた表情であるか否かを判別し、顔が予め定められた表情であると判別されると撮像手段に撮像を行うよう指示を出力する表情検出手段と、指示に応答して撮像手段で生成された画像を記録媒体に記録する記録手段とを有し、表情検出手段は、顔の向きを検出し、向きが正面でない顔については、向きが正面である顔よりも、予め定められた表情であると判別するための条件を緩和することを特徴とする撮像装置によっても達成される。
【手続補正３】
【補正対象書類名】明細書
【補正対象項目名】０００８
【補正方法】変更
【補正の内容】
【０００８】
また、上述の目的は、被写体を撮像し、画像を生成する撮像手段を有する撮像装置の制御方法であって、画像から複数の顔を検出する被写体検出工程と、複数の顔が予め定められた表情であるか否かを判別する表情検出工程と、複数の顔が予め定められた表情であると判別されると撮像手段に撮像を行うよう指示を出力する表情検出工程と、指示に応答して撮像手段で生成された画像を記録媒体に記録する記録工程とを有し、表情検出工程は、複数の顔の数が多いほど、予め定められた表情を満たすための条件を緩和することを特徴とする撮像装置の制御方法によっても達成される。
また、上述の目的は、被写体を撮像し、画像を生成する撮像手段を有する撮像装置の制御方法であって、画像から顔を検出する被写体検出工程と、顔が予め定められた表情であるか否かを判別し、顔が予め定められた表情であると判別されると撮像手段に撮像を行うように指示を出力する表情検出工程と、指示に応答して撮像手段で生成された画像を記録媒体に記録する記録工程とを有し、表情検出工程は、顔の向きを検出し、向きが正面でない顔については、向きが正面である顔よりも、予め定められた表情であると判別するための条件を緩和することを特徴とする撮像装置の制御方法によっても達成される。
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
圧電基板と、該圧電基板とはエッチングレートが異なるベース基板と、を貼り合わせる貼合工程と、
前記貼合工程の後に前記圧電基板を研磨する研磨工程と、
前記貼合工程の後に前記ベース基板をエッチングするベースエッチング工程と、
前記研磨工程の後に前記圧電基板をエッチングする圧電エッチング工程と、
を含むことを特徴とする圧電振動片の製造方法。
【請求項２】
前記ベースエッチング工程により前記ベース基板のエッチングを行った後、前記圧電エッチング工程により前記圧電基板のエッチングを行うことを特徴とする請求項１に記載の圧電振動片の製造方法。
【請求項３】
前記ベースエッチング工程は、平面視において、前記ベース基板のうち少なくとも前記圧電基板の振動腕が形成される領域に重なる前記ベース基板を除去し、前記ベース基板の一部を残してエッチングする工程を含み、
前記圧電エッチング工程は、前記ベース基板の前記一部が前記圧電基板に貼り合わされた状態で、前記圧電基板をエッチングする工程を含む
ことを特徴とする請求項２に記載の圧電振動片の製造方法。
【請求項４】
前記圧電エッチング工程により前記圧電基板のエッチングを行った後、前記ベースエッチング工程により前記ベース基板のエッチングを行うことを特徴とする請求項１に記載の圧電振動片の製造方法。
【請求項５】
前記ベースエッチング工程は、前記ベース基板に凹状の開口部を形成することを特徴とする請求項４に記載の圧電振動片の製造方法。
【請求項６】
請求項１乃至５の何れか一項記載の圧電振動片の製造方法により製造され、且つ、厚み方向を電気軸に沿って形成した圧電振動片を用いて構成されることを特徴とする圧電振動素子。
【請求項７】
請求項１乃至５の何れか一項記載の圧電振動片の製造方法により製造した圧電振動片と、
該圧電振動片の振動腕の表面の両側縁にそれぞれ形成され、互いに異極となるようにされた第１の電極と、
該第１の電極の表面に形成した圧電薄膜と、該圧電薄膜を挟んで前記第１の電極と対となるように前記圧電薄膜の表面に形成された第２の電極と、
を有することを特徴とする圧電振動素子。
【手続補正２】
【補正対象書類名】明細書
【補正対象項目名】０００６
【補正方法】変更
【補正の内容】
【０００６】
上記課題を解決するため、本発明の圧電振動片の製造方法は、圧電基板と、この圧電基板とはエッチングレートが異なるベース基板と、を貼り合わせる貼合工程と、貼合工程の後に圧電基板を研磨する研磨工程と、貼合工程の後にベース基板をエッチングするベースエッチング工程と、研磨工程の後に圧電基板をエッチングする圧電エッチング工程と、を含むことを特徴とする。
このような本発明によれば、圧電基板を薄く研磨加工した場合でも、圧電基板は貼り合わせたベース基板により支持されるので圧電基板の強度を保つことができる。よって、圧電基板を大口径化した場合でも、製造時において圧電基板を容易に取り扱うことができる。
【手続補正３】
【補正対象書類名】明細書
【補正対象項目名】０００８
【補正方法】変更
【補正の内容】
【０００８】
本発明の圧電振動片の製造方法は、ベースエッチング工程によりベース基板のエッチングを行った後、圧電エッチング工程により圧電基板のエッチングを行うことを特徴とする。
また本発明の圧電振動片の製造方法は、ベースエッチング工程は、平面視において、ベース基板のうち少なくとも圧電基板の振動腕が形成される領域に重なるベース基板を除去し、ベース基板の一部を残してエッチングする工程を含み、圧電エッチング工程は、ベース基板の一部が圧電基板に貼り合わされた状態で、圧電基板をエッチングする工程を含むことを特徴とする。
このような本発明によれば、ベース基板を、圧電基板を補強する補強板として機能させることが可能になる。
【手続補正４】
【補正対象書類名】明細書
【補正対象項目名】０００９
【補正方法】変更
【補正の内容】
【０００９】
本発明の圧電振動片の製造方法は、圧電エッチング工程により圧電基板のエッチングを行った後、ベースエッチング工程によりベース基板のエッチングを行うことを特徴とする。
また本発明の圧電振動片の製造方法は、ベースエッチング工程は、ベース基板に凹状の開口部を形成することを特徴とする。
このような本発明によれば、ベース基板を例えば圧電基板のパッケージとして利用することが可能になる。
【手続補正書】
【提出日】平成22年2月12日(2010.2.12)
【手続補正１】
【補正対象書類名】特許請求の範囲
【補正対象項目名】全文
【補正方法】変更
【補正の内容】
【特許請求の範囲】
【請求項１】
被写体像を撮像する撮像装置において、
前記撮像装置の操作をロックするロック状態あるいはアンロック状態に設定する設定手段と、
前記撮像装置の複数の特定の操作項目のうち、前記ロック状態でも操作可能な項目としての主項目と該主項目の下層の設定項目である副項目の選択、あるいは前記ロック状態で操作不可能な項目としての主項目と該主項目の下層の設定項目の選択を、ユーザから受け付ける受付手段と、
前記受付手段で受け付けた内容を登録する登録手段と、
前記設定手段により前記ロック状態に設定された場合に、前記登録手段によって登録された内容に基づき、前記受付手段で受け付けた選択によって前記ロック状態でも操作可能な項目とされた前記主項目と前記副項目に関する操作と、前記撮像装置のレリーズ動作とを可能とし、前記複数の特定の操作項目のうちの他の操作項目に関する操作は行えないように制限する制御手段と、
を具備することを特徴とする撮像装置。
【請求項２】
前記複数の特定の操作項目の前記主項目には、測光モード設定、ブラケッティング設定、撮影モード設定、ＩＳＯ感度設定、シャッター速度設定、絞り設定、ホワイトバランス設定、画像サイズ設定、ピクチャースタイル設定のうちの少なくとも１つが含まれることを特徴とする請求項１に記載の撮像装置。
【請求項３】
前記撮像装置にパスワードを入力するための入力手段と、該入力手段により入力されたパスワードに応じて、前記設定手段によるロック状態への設定または前記アンロック状態への設定を許可する許可手段をさらに具備することを特徴とする請求項１または２に記載の撮像装置。
【請求項４】
前記パスワードは、前記アンロック状態において、ユーザが変更可能であることを特徴とする請求項３に記載の撮像装置。
【請求項５】
被写体像を撮像する撮像装置を制御する方法であって、
前記撮像装置の操作をロックするロック状態あるいはアンロック状態に設定する設定工程と、
前記撮像装置の複数の特定の操作項目のうち、前記ロック状態でも操作可能な項目としての主項目と該主項目の下層の設定項目である副項目の選択、あるいは前記ロック状態で操作不可能な項目としての主項目と該主項目の下層の設定項目の選択を、ユーザから受け付ける受付工程と、
前記受付工程で受け付けた内容を登録する登録工程と、
前記設定工程において前記ロック状態に設定された場合に、前記登録工程において登録された内容に基づき、前記受付工程で受け付けた選択によって前記ロック状態でも操作可能な項目とされた前記主項目と前記副項目に関する操作と、前記撮像装置のレリーズ動作とを可能とし、前記複数の特定の操作項目のうちの他の操作項目に関する操作は行えないように制限する制御工程と、
を具備することを特徴とする撮像装置の制御方法。
【請求項６】
コンピュータを、請求項１乃至４のいずれか１項に記載された撮像装置の各手段として機能させるプログラム。
【請求項７】
コンピュータを、請求項１乃至４のいずれか１項に記載された撮像装置の各手段として機能させるプログラムを格納した記憶媒体。
【手続補正２】
【補正対象書類名】明細書
【補正対象項目名】発明の名称
【補正方法】変更
【補正の内容】
【発明の名称】撮像装置及びその制御方法及びプログラム及び記憶媒体
【手続補正３】
【補正対象書類名】明細書
【補正対象項目名】０００６
【補正方法】変更
【補正の内容】
【０００６】
上述した課題を解決し、目的を達成するために、本発明に係わる撮像装置は、被写体像を撮像する撮像装置において、前記撮像装置の操作をロックするロック状態あるいはアンロック状態に設定する設定手段と、前記撮像装置の複数の特定の操作項目のうち、前記ロック状態でも操作可能な項目としての主項目と該主項目の下層の設定項目である副項目の選択、あるいは前記ロック状態で操作不可能な項目としての主項目と該主項目の下層の設定項目の選択を、ユーザから受け付ける受付手段と、前記受付手段で受け付けた内容を登録する登録手段と、前記設定手段により前記ロック状態に設定された場合に、前記登録手段によって登録された内容に基づき、前記受付手段で受け付けた選択によって前記ロック状態でも操作可能な項目とされた前記主項目と前記副項目に関する操作と、前記撮像装置のレリーズ動作とを可能とし、前記複数の特定の操作項目のうちの他の操作項目に関する操作は行えないように制限する制御手段と、を具備することを特徴とする。
【手続補正４】
【補正対象書類名】明細書
【補正対象項目名】０００７
【補正方法】変更
【補正の内容】
【０００７】
また、本発明に係わる撮像装置の制御方法は、被写体像を撮像する撮像装置を制御する方法であって、前記撮像装置の操作をロックするロック状態あるいはアンロック状態に設定する設定工程と、前記撮像装置の複数の特定の操作項目のうち、前記ロック状態でも操作可能な項目としての主項目と該主項目の下層の設定項目である副項目の選択、あるいは前記ロック状態で操作不可能な項目としての主項目と該主項目の下層の設定項目の選択を、ユーザから受け付ける受付工程と、
前記受付工程で受け付けた内容を登録する登録工程と、前記設定工程において前記ロック状態に設定された場合に、前記登録工程において登録された内容に基づき、前記受付工程で受け付けた選択によって前記ロック状態でも操作可能な項目とされた前記主項目と前記副項目に関する操作と、前記撮像装置のレリーズ動作とを可能とし、前記複数の特定の操作項目のうちの他の操作項目に関する操作は行えないように制限する制御工程と、を具備することを特徴とする。
【手続補正５】
【補正対象書類名】明細書
【補正対象項目名】０００８
【補正方法】削除
【補正の内容】
【手続補正書】
【提出日】平成22年1月14日(2010.1.14)
【手続補正１】
【補正対象書類名】特許請求の範囲
【補正対象項目名】全文
【補正方法】変更
【補正の内容】
【特許請求の範囲】
【請求項１】
撮影レンズにより結像された被写体の光学像を光電変換して画像信号を生成する撮像手段と、
前記被写体の輝度を検出する測光手段と、
前記測光手段により検出された前記被写体の輝度に基づいて、前記撮像手段の露光時間を算出する演算手段と、
前記演算手段により算出された露光時間が、撮影者の手ブレが前記画像信号の画質に影響を与えると予想される露光時間である場合に、前記撮像手段の露光時間を短くすることにより、撮影者の手ブレの前記画像信号への影響を軽減する手ブレ軽減動作を行う手ブレ軽減手段と、
前記手ブレ軽減手段に前記手ブレ軽減動作を行わせる手ブレ軽減指示を入力する入力手段と、
前記演算手段が前記露光時間を算出した後に、前記入力手段による手ブレ軽減指示の入力を許可する制御手段と、
を具備することを特徴とする撮像装置。
【請求項２】
消灯、点灯、及び点滅することが可能な発光手段をさらに具備し、前記手ブレ軽減動作の動作状況を、前記発光手段の消灯又は点灯又は点滅により撮影者に報知することを特徴とする請求項１に記載の撮像装置。
【請求項３】
前記撮像手段により逐次生成された画像信号を逐次表示する表示手段をさらに具備し、前記手ブレ軽減動作の動作状況に関する情報を、前記表示手段に表示することを特徴とする請求項１に記載の撮像装置。
【請求項４】
前記画像信号の増幅率を変更することにより前記撮像手段の撮像感度を調節する感度調節手段をさらに具備し、該感度調節手段は、前記手ブレ軽減手段により前記撮像手段の露光時間が短くされる量に対応する量だけ前記撮像感度を増加させることを特徴とする請求項１に記載の撮像装置。
【請求項５】
前記感度調節手段が前記撮像感度を増加させる場合の該撮像感度の最大値を指定する最大感度指定手段をさらに具備することを特徴とする請求項４に記載の撮像装置。
【請求項６】
前記撮影レンズ内に設けられた絞りを駆動する絞り駆動手段をさらに具備し、該絞り駆動手段は、前記手ブレ軽減手段により前記撮像手段の露光時間が短くされる量に対応する量だけ前記絞りを開く方向に駆動することを特徴とする請求項１に記載の撮像装置。
【請求項７】
前記画像信号の増幅率を変更することにより前記撮像手段の撮像感度を調節する感度調節手段と、前記撮影レンズ内に設けられた絞りを駆動する絞り駆動手段と、前記手ブレ軽減手段により前記撮像手段の露光時間が短くされる量に対応して前記撮像感度を増加させると共に前記絞りを開く方向に駆動させるように、前記感度調節手段と前記絞り駆動手段とを制御する露出制御手段と、をさらに具備することを特徴とする請求項１に記載の撮像装置。
【請求項８】
前記手ブレ軽減手段は、前記撮影レンズの焦点距離に応じて、前記撮像手段の露光時間を短くする量を変更することを特徴とする請求項１に記載の撮像装置。
【請求項９】
前記演算手段により算出された前記撮像手段の露光時間を短くすることができない場合に、前記制御手段は、前記入力手段による手ブレ軽減指示の入力を停止することを特徴とする請求項１に記載の撮像装置。
【請求項１０】
前記被写体を照明するためのストロボ手段を使用して撮像を行う場合には、前記制御手段は、前記入力手段による手ブレ軽減指示の入力を停止することを特徴とする請求項１に記載の撮像装置。
【請求項１１】
撮影レンズにより結像された被写体の光学像を光電変換して画像信号を生成する撮像手段と、前記被写体の輝度を検出する測光手段と、を備える撮像装置を制御する方法であって、
前記測光手段により検出された前記被写体の輝度に基づいて、前記撮像手段の露光時間を算出する演算工程と、
前記演算工程において算出された露光時間が、撮影者の手ブレが前記画像信号の画質に影響を与えると予想される露光時間である場合に、前記撮像手段の露光時間を短くすることにより、撮影者の手ブレの前記画像信号への影響を軽減する手ブレ軽減動作を行う手ブレ軽減工程と、
前記手ブレ軽減動作を行わせる手ブレ軽減指示を入力する入力工程と、
前記演算工程において前記露光時間を算出した後に、前記入力工程による手ブレ軽減指示の入力を許可する制御工程と、
を具備することを特徴とする撮像装置の制御方法。
【請求項１２】
請求項１１に記載の制御方法をコンピュータに実行させるためのプログラム。
【手続補正２】
【補正対象書類名】明細書
【補正対象項目名】００１０
【補正方法】変更
【補正の内容】
【００１０】
上述した課題を解決し、目的を達成するために、本発明に係わる撮像装置は、撮影レンズにより結像された被写体の光学像を光電変換して画像信号を生成する撮像手段と、前記被写体の輝度を検出する測光手段と、前記測光手段により検出された前記被写体の輝度に基づいて、前記撮像手段の露光時間を算出する演算手段と、前記演算手段により算出された露光時間が、撮影者の手ブレが前記画像信号の画質に影響を与えると予想される露光時間である場合に、前記撮像手段の露光時間を短くすることにより、撮影者の手ブレの前記画像信号への影響を軽減する手ブレ軽減動作を行う手ブレ軽減手段と、前記手ブレ軽減手段に前記手ブレ軽減動作を行わせる手ブレ軽減指示を入力する入力手段と、前記演算手段が前記露光時間を算出した後に、前記入力手段による手ブレ軽減指示の入力を許可する制御手段と、を具備することを特徴とする。
【手続補正３】
【補正対象書類名】明細書
【補正対象項目名】００１１
【補正方法】変更
【補正の内容】
【００１１】
また、本発明に係わる撮像装置の制御方法は、撮影レンズにより結像された被写体の光学像を光電変換して画像信号を生成する撮像手段と、前記被写体の輝度を検出する測光手段と、を備える撮像装置を制御する方法であって、前記測光手段により検出された前記被写体の輝度に基づいて、前記撮像手段の露光時間を算出する演算工程と、前記演算工程において算出された露光時間が、撮影者の手ブレが前記画像信号の画質に影響を与えると予想される露光時間である場合に、前記撮像手段の露光時間を短くすることにより、撮影者の手ブレの前記画像信号への影響を軽減する手ブレ軽減動作を行う手ブレ軽減工程と、前記手ブレ軽減動作を行わせる手ブレ軽減指示を入力する入力工程と、前記演算工程において前記露光時間を算出した後に、前記入力工程による手ブレ軽減指示の入力を許可する制御工程と、を具備することを特徴とする。
【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
動画像データの記録及び再生が可能な画像処理装置であって、
動画像記録時に記録開始時刻及び記録時のフレームレートを記録媒体に記録する記録手段と、
動画像再生時に、前記記録手段が記録した記録開始時刻及び記録時のフレームレートと、再生するフレームのフレーム番号とから、再生するフレームの実記録時刻を算出する算出手段とを備えたことを特徴とする画像処理装置。
【請求項２】
前記算出手段は、前記記録手段が記録した記録時のフレームレートと、前記再生するフレームのフレーム番号とから、再生するフレームの記録時の経過時間を算出することを特徴とする請求項１に記載の画像処理装置。
【請求項３】
前記記録開始時刻及び前記記録時のフレームレートは、動画像データとは別に記録されることを特徴とする請求項１又は２に記載の画像処理装置。
【請求項４】
前記算出手段により算出された前記実記録時刻及び前記記録時の経過時間のうちの少なくともいずれかを表示部に表示する表示手段を備えたことを特徴とする請求項２又は３に記載の画像処理装置。
【請求項５】
前記表示手段は、動画像の再生時間を表示することができることを特徴とする請求項４に記載の画像処理装置。
【請求項６】
前記実記録時刻、前記記録時の経過時間、及び前記再生時間のうちの１つ又は複数を選択できる選択手段を備え、
前記表示手段は、前記選択手段による選択に応じて、前記表示部に前記実記録時刻、前記記録時の経過時間、及び前記再生時間のうちの１つ又は複数を表示することを特徴とする請求項５に記載の画像処理装置。
【請求項７】
前記算出手段は、動画像の所定のフレームにおいて、前記実記録時刻及び前記記録時の経過時間のうちの少なくともいずれかを算出することを特徴とする請求項２〜６のいずれか１項に記載の画像処理装置。
【請求項８】
動画像データの記録が可能な画像処理装置であって、
動画像記録時に記録開始時刻及び記録時のフレームレートを記録媒体に記録する記録手段を備えたことを特徴とする画像処理装置。
【請求項９】
動画像データの再生が可能な画像処理装置であって、
動画像再生時に、該動画像の記録時に記録された記録開始時刻及び記録時のフレームレートと、再生するフレームのフレーム番号とから、再生するフレームの実記録時刻を算出する算出手段を備えたことを特徴とする画像処理装置。
【請求項１０】
動画像データの記録及び再生が可能な画像処理装置の制御方法であって、
動画像記録時に記録開始時刻及び記録時のフレームレートを記録手段に記録する記録ステップと、
動画像再生時に、前記記録ステップで記録した記録開始時刻及び記録時のフレームレートと、再生するフレームのフレーム番号とから、再生するフレームの実記録時刻を算出する算出ステップとを有することを特徴とする画像処理装置の制御方法。
【請求項１１】
動画像データの記録及び再生が可能な画像処理装置を制御するためのコンピュータプログラムであって、
動画像記録時に記録開始時刻及び記録時のフレームレートを記録媒体に記録する記録ステップと、
動画像再生時に、前記記録ステップで記録した記録開始時刻及び記録時のフレームレートと、再生するフレームのフレーム番号とから、再生するフレームの実記録時刻を算出する算出ステップとをコンピュータに実行させることを特徴とするコンピュータプログラム。
【手続補正２】
【補正対象書類名】明細書
【補正対象項目名】０００８
【補正方法】変更
【補正の内容】
【０００８】
本発明の画像処理装置は、動画像データの記録及び再生が可能な画像処理装置であって、動画像記録時に記録開始時刻及び記録時のフレームレートを記録媒体に記録する記録手段と、動画像再生時に、前記記録手段が記録した記録開始時刻及び記録時のフレームレートと、再生するフレームのフレーム番号とから、再生するフレームの実記録時刻を算出する算出手段とを備えたことを特徴とする。
また、本発明の画像処理装置は、動画像データの記録が可能な画像処理装置であって、動画像記録時に記録開始時刻及び記録時のフレームレートを記録媒体に記録する記録手段を備えたことを特徴とする。
また、本発明の画像処理装置は、動画像データの再生が可能な画像処理装置であって、動画像再生時に、該動画像の記録時に記録された記録開始時刻及び記録時のフレームレートと、再生するフレームのフレーム番号とから、再生するフレームの実記録時刻を算出する算出手段を備えたことを特徴とする。
また、本発明の画像処理装置の制御方法は、動画像データの記録及び再生が可能な画像処理装置の制御方法であって、動画像記録時に記録開始時刻及び記録時のフレームレートを記録手段に記録する記録ステップと、動画像再生時に、前記記録ステップで記録した記録開始時刻及び記録時のフレームレートと、再生するフレームのフレーム番号とから、再生するフレームの実記録時刻を算出する算出ステップとを有することを特徴とする。
また、本発明のコンピュータプログラムは、動画像データの記録及び再生が可能な画像処理装置を制御するためのコンピュータプログラムであって、動画像記録時に記録開始時刻及び記録時のフレームレートを記録媒体に記録する記録ステップと、動画像再生時に、前記記録ステップで記録した記録開始時刻及び記録時のフレームレートと、再生するフレームのフレーム番号とから、再生するフレームの実記録時刻を算出する算出ステップとをコンピュータに実行させることを特徴とする。
【手続補正３】
【補正対象書類名】明細書
【補正対象項目名】０００９
【補正方法】変更
【補正の内容】
【０００９】
本発明では、記録した動画像のフォーマットによらず、またインターバル撮影・通常撮影によらず同様の処理で、容易に再生中の動画像の各シーンにおける実記録時刻を算出することができる。